(57)【要約】      （修正有）【課題】マグネット吹矢の普及に寄与するため、ネイル矢をマグネット矢に変換するための変換アダプターを提供する。【解決手段】変換アダプター１は、標的に突き刺さるスポーツ吹矢用のネイル矢２を、磁力で標的に吸着させるマグネット矢に変換可能に構成され、弾性材料で筒状に形成された筒体１１と、円板状または円柱状に形成されて筒体１１の一端部（大径部１１ａ）に取り付けられた磁石１２とを備えて、ネイル矢２の先端部２１ａを筒体１１の他端部（小径部１１ｂ）に挿入した状態において筒体１１の弾性力によってネイル矢２の先端部２１ａに保持可能に構成されている。【選択図】図２
0003232285.tif 000002
【実用新案登録請求の範囲】
【請求項１】
標的に突き刺さるスポーツ吹矢用のネイル矢を、磁力で標的に吸着させるマグネット矢に変換するための変換アダプターであって、
弾性材料で筒状に形成された筒体と、前記筒体の一端部に取り付けられた磁石とを備えて、前記ネイル矢の先端部を前記筒体の他端部に挿入した状態において当該筒体の弾性力によって当該ネイル矢の先端部に保持可能に構成されている変換アダプター。
【請求項２】
前記筒部材は、前記一端部側が大径に形成されると共に前記他端部側が小径に形成されている請求項１記載の変換アダプター。
【請求項３】
前記ネイル矢の先端部を前記筒体の他端部に挿入した状態において当該先端部に取り付けられている金属部材と前記磁石とが接触するように構成されている請求項１または２記載の変換アダプター。
【考案の詳細な説明】
【技術分野】
【０００１】
本考案は、標的に突き刺さるネイル矢を磁力で標的に吸着させるマグネット矢に変換するための変換アダプターに関するものである。
【背景技術】
【０００２】
スポーツ吹矢に用いる矢として、下記特許文献１に開示された矢が知られている。この矢は、一般的に「ネイル矢」と呼ばれるもので、短冊形のプラスチックフィルムを円錐形に巻き、円錐形の本体の先端部に釘を固着して形成され、標的に矢の先端の釘が刺さるように構成されている。一方、安全性を高めた矢として、下記特許文献２に開示された矢が知られている。この矢は、一般的に「マグネット矢」と呼ばれるもので、本体の先端部に先端面が平らな磁石が固定されて形成され、鉄板等で形成された標的に磁石が吸着するように構成されている。
【先行技術文献】
【特許文献】
【０００３】
【特許文献１】実用新案登録第３０５１４３２号公報
【特許文献２】実用新案登録第３１２７８０９号公報
【考案の概要】
【考案が解決しようとする課題】
【０００４】
上述したネイル矢を用いるネイル吹矢とマグネット矢を用いるマグネット吹矢では、ネイル吹矢の方が歴史が古く、スポーツ吹矢の愛好家の多くがネイル吹矢を行っている。一方、安全性の面から、マグネット吹矢の愛好家も近年増加している。このような状況において、ネイル吹矢の愛好家がマグネット吹矢も行う場合や、ネイル吹矢の愛好家がマグネット吹矢に転向しようとする場合には、新たにマグネット矢を購入する必要があり、マグネット吹矢の普及を阻害する要因となっている。
【０００５】
本考案は、かかる課題を解決すべくなされたものであり、マグネット吹矢の普及に寄与し得る変換アダプターを提供することを目的とする。
【課題を解決するための手段】
【０００６】
上記課題を解決すべく、請求項１記載の変換アダプターは、標的に突き刺さるスポーツ吹矢用のネイル矢を、磁力で標的に吸着させるマグネット矢に変換するための変換アダプターであって、弾性材料で筒状に形成された筒体と、前記筒体の一端部に取り付けられた磁石とを備えて、前記ネイル矢の先端部を前記筒体の他端部に挿入した状態において当該筒体の弾性力によって当該ネイル矢の先端部に保持可能に構成されている。
【０００７】
また、請求項２記載の変換アダプターは、請求項１記載の変換アダプターにおいて、前記筒部材は、前記一端部側が大径に形成されると共に前記他端部側が小径に形成されている。
【０００８】
また、請求項３記載の変換アダプターは、請求項１または２記載の変換アダプターにおいて、前記ネイル矢の先端部を前記筒体の他端部に挿入した状態において当該先端部に取り付けられている金属部材と前記磁石とが接触するように構成されている。
【考案の効果】
【０００９】
本考案に係る変換アダプターによれば、弾性材料で筒状に形成された筒体と、筒体の一端部に取り付けられた磁石とを備えて、ネイル矢の先端部を筒体の他端部に挿入した状態において筒体の弾性力によってネイル矢の先端部に保持可能に構成したことにより、変換アダプターをネイル矢の先端部に対して容易に着脱することができる。このため、ネイル矢の先端部に変換アダプターを取り付けることで、ネイル矢を容易にマグネット矢に変換することができ、また、ネイル矢の先端部ら変換アダプターを取り外すことで元の状態に戻してネイル矢として使用することができる。このため、この変換アダプターによれば、マグネット吹矢の普及に寄与することができる。
【００１０】
また、本考案に係る変換アダプターによれば、筒部材の一端部側を大径に形成すると共に他端部側を小径に形成したことにより、大きな磁石を筒体に取りつけることができる。このため、マグネット矢の先端の重量を十分に大きくすることができ、これによって多くの呼気量が必要な効果的な練習を可能とするマグネット矢に変換することができる。
【００１１】
また、本考案に係る変換アダプターによれば、ネイル矢の先端部を筒体の他端部に挿入した状態において先端部に取り付けられている金属部材と磁石とが接触するように構成したことにより、金属部材が磁性体である場合には、筒体の弾性力に加えて、磁石と金属部材との間の磁力によっても変換アダプターをネイル矢の先端部に保持させることができるため、ネイル矢の先端部からの変換アダプターの脱落を確実に防止することができる。
【図面の簡単な説明】
【００１２】
【図１】変換アダプター１の断面図である。
【図２】変換アダプター１を矢２に装着した状態の断面図である。
【考案を実施するための形態】
【００１３】
以下、本考案に係る変換アダプターの実施の形態について、図面を参照して説明する。
【００１４】
本考案に係る変換アダプターの一実施例としての変換アダプター１を図１に示す。変換アダプター１は、標的に突き刺さるスポーツ吹矢用のネイル矢２（図２参照）を、磁力で標的に吸着させるマグネット矢に変換するためのものであって、図１に示すように、変換アダプター１は筒体１１および磁石１２を備えて構成されている。
【００１５】
筒体１１は、図１に示すように、円筒状に形成されている。また、筒体１１は、弾性材料の一例としてのゴムで形成され、径方向に拡縮可能に構成されている。また、筒体１１は、一端部側が大径に形成されると共に、他端部側が小径に形成されている。なお、以下の説明において、大径の部分を大径部１１ａともいい、小径の部分を小径部１１ｂともいう。
【００１６】
磁石１２は、図１に示すように、円柱状に形成され、筒体１１の大径部１１ａ（一端部）に取り付けられている。
【００１７】
この変換アダプター１は、図２に示すように、ネイル矢２を構成する円錐状の本体部２１の先端部２１ａを筒体１１の小径部１１ｂ（他端部）に挿入した状態において筒体１１の弾性力によってネイル矢２の先端部２１ａに保持されるように構成されている。
【００１８】
また、この変換アダプター１は、図２に示すように、ネイル矢２の先端部２１ａを筒体１１の小径部１１ｂ（他端部）に挿入した状態において先端部２１ａに取り付けられている金属部材３１と磁石１２とが接触するように構成されている。
【００１９】
この変換アダプター１は、上述したように、ネイル矢２の先端部２１ａを筒体１１の小径部１１ｂに挿入した状態において筒体１１の弾性力によってネイル矢２の先端部２１ａに保持されるため、変換アダプター１をネイル矢２の先端部２１ａに対して容易に着脱することができる。このため、ネイル矢２の先端部２１ａに変換アダプター１を取り付けることで、ネイル矢２を容易にマグネット矢に変換することができ、また、ネイル矢２の先端部２１ａら変換アダプター１を取り外すことで元の状態に戻してネイル矢２として使用することができる。このため、この変換アダプター１によれば、手持ちのネイル矢２をマグネット矢として用いることができるため、マグネット吹矢の普及に寄与することができる。
【００２０】
また、この変換アダプター１は、筒体１１の一端部側を大径に形成すると共に他端部側を小径に形成されている。このため、大きな磁石１２を筒体１１に取りつけることができる結果、ネイル矢２の先端部２１ａの重量を十分に大きくすることができ、これによって多くの呼気量が必要な効果的な練習を可能とするマグネット矢に変換することができる。
【００２１】
また、この変換アダプター１は、ネイル矢２の先端部２１ａを筒体１１の他端部に挿入した状態において先端部２１ａに取り付けられている金属部材３１と磁石１２とが接触するように構成されている。このため、金属部材３１が磁性体である場合には、筒体１１の弾性力に加えて、磁石１２と金属部材３１との間の磁力によっても変換アダプター１をネイル矢２の先端部２１ａに保持させることができるため、ネイル矢２の先端部２１ａからの変換アダプター１の脱落を確実に防止することができる。
【符号の説明】
【００２２】
１  変換アダプター
２  ネイル矢
１１  筒体
１１ａ  大径部
１１ｂ  小径部
１２  磁石
２１  本体部
２１ａ  先端部
３１  金属部材
【図１】
0003232285.tif 000003
【図２】
0003232285.tif 000004
【手続補正書】
【提出日】令和3年3月19日(2021.3.19)
【手続補正１】
【補正対象書類名】実用新案登録請求の範囲
【補正対象項目名】全文
【補正方法】変更
【補正の内容】
【実用新案登録請求の範囲】
【請求項１】
標的に突き刺さるスポーツ吹矢用のネイル矢を、磁力で標的に吸着させるマグネット矢に変換するための変換アダプターであって、
弾性材料で筒状に形成された筒体と、前記筒体の一端部に取り付けられた磁石とを備えて、前記ネイル矢の先端部を前記筒体の他端部に挿入した状態において当該筒体の弾性力によって当該ネイル矢の先端部に保持可能に構成されている変換アダプター。
【請求項２】
前記筒体は、前記一端部側が大径に形成されると共に前記他端部側が小径に形成されている請求項１記載の変換アダプター。
【請求項３】
前記ネイル矢の先端部を前記筒体の他端部に挿入した状態において当該先端部に取り付けられている金属部材と前記磁石とが接触するように構成されている請求項１または２記載の変換アダプター。